(57)【要約】      （修正有）【課題】快適な運転環境を提供するマイナスイオン放出芳香装置の自動車専用ホルダーを備えたドリンクホルダー連結装置を提供する。【解決手段】ドリンクホルダー連結装置は、主に、自動車専用ホルダー４と、ドリンクホルダー連結装置５と、からなり、自動車専用ホルダー４は、固定フレーム体４１及び引掛けベルトユニット４２を備えているべきである。そのうち、固定フレーム体４１は、金属線材が折り曲げられてなるとともに、一端は、２つのフック体であり、２つのフック体の間には、補強棒４１２が水平溶接されるとともに、フック体の末端には、ゴムカバー４１１ａが覆うように設けられ、フック体における２つの支持柱４１３は、下方向に底端まで延在され、支持柱４１３と垂直方向に円状台座４１３ａが水平に設けられるとともに、２つの支持柱４１３に近い上方部には、円状輪４１４が溶接されて設けられることで、引掛けることのできるフレーム体が形成される。【選択図】図５
0003220068.tif 000002
【実用新案登録請求の範囲】
【請求項１】
自動車専用ホルダー及びドリンクホルダー連結装置であって、前記自動車専用ホルダーは、固定フレーム体と、引掛けベルトユニットと、からなり、そのうち、固定フレーム体は、金属線材が折り曲げられてなるとともに、一端は、２つのフック体であり、２つのフック体の間には、補強棒が水平溶接されるとともに、フック体の末端には、ゴムカバーが覆うように設けられ、フック体における２つの支持柱は、下方向に底端まで延在され、支持柱と垂直方向に円状台座が水平に設けられるとともに、２つの支持柱に近い上方部には、円状輪が溶接されて設けられることで、引掛けられるフレーム体が形成され、さらに、引掛けベルトユニットは、腕時計型ベルト体であり、中央の時計の位置には、腕時計型スルーホールが設けられ、その両側には、腕時計型ベルト体が延在されるとともに、ベルト体の末端には、ボタンユニットが設けられることで、互いにはめられ、さらに、連結装置の上半部は、Ｌ型皿状台座であり、皿状面は円前部の後方であり、扇形凸ブロックは前縁に設けられ、Ｌ型皿状台座の後方における縁部の近くには、垂直且つ上向きに一対のＵ型溝が凸設され、その中央には電源コード位置決め溝が設けられるとともに、Ｌ型皿状台座の中央部には、溝付筒部が下向きに延設され、その下端の対称部には、４つの溝が上向きに穴を開けて設けられ、４つの溝には溝付きシリコン体が嵌め込まれ、溝付きシリコン体の両側には、複数の溝が設けられ、使用する場合、まずマイナスイオン放出芳香装置を自動車専用ホルダーの中に置き、さらにマイナスイオン放出芳香装置を連結装置に入れることで、自動車専用ホルダーの後方の支持柱が、Ｕ型溝に嵌め込まれ且つ挟まれ、扇形凸ブロックは、前縁に設けられることで、マイナスイオン放出芳香装置の本体が支えられ、電源コードが引き延ばされて設けられた後、溝付きシリコン体が電源コード位置決め溝に差し込まれることで、自動車専用ホルダーがＬ型皿状台座に効果的に固設され、Ｌ型皿状台座から下方向に延設された溝付筒部における４つの溝に、溝付きシリコン体が嵌め込まれ、溝付きシリコン体の両側には、複数の溝が設けられることで、密着して結合されることを特徴とする自動車専用ホルダー及びドリンクホルダー連結装置。
【請求項２】
溝付きシリコン体は、溝付筒部の４つの溝に組み合わされ、異なる内径のドリンクホルダーを置く必要に応じて径方向に調整されることを特徴とする、請求項１に記載のマイナスイオン放出芳香装置の自動車専用ホルダー及びそのドリンクホルダー連結装置。
【請求項３】
マイナスイオン放出芳香装置の自動車専用ホルダーの後方における支持柱の間は、横棒によって連結され、必要に応じてフックは取り外されることで、完成度が高められることを特徴とする、請求項１に記載のマイナスイオン放出芳香装置の自動車専用ホルダー及びそのドリンクホルダー連結装置。
【考案の詳細な説明】
【技術分野】
【０００１】
本考案はマイナスイオン放出芳香装置の自動車専用ホルダー及びそのドリンクホルダー連結装置に関し、特に、マイナスイオン放出芳香装置を車内の適切な．空間に引掛けて設置することができるようにする、または連結装置によりマイナスイオン放出芳香装置本体を自動車専用ホルダーと共にドリンクホルダーにスムーズに固定させ、そのうち、自動車専用ホルダーは、固定フレーム体と、引掛けベルトユニットと、からなり、巧妙に掛けて設置することで、マイナスイオン放出芳香装置の本体を、フレーム体上部、及びノズル部位（つまりパワーノズル及びミスト生成部）に効果的にしっかりと固定することができ、落ちないようにしっかりと締め付け、使用者は、適切な位置を選んで掛けて設置且つ固定することができ、さらに、前記連結装置上半部は、Ｌ型皿状台座であり、皿状面は円前部の後方であり、扇形凸ブロックは前縁に設けられ、Ｌ型皿状台座の後方における縁部の近くには、垂直且つ上向きに一対のＵ型溝が凸設され、その中央には電源コード位置決め溝が設けられるとともに、Ｌ型皿状台座の中央部には、溝付筒部が下向きに延設され、その下端の対称部には、４つの溝が上向きに穴を開けて設けられ、溝付きシリコン体を嵌め込むことができ、溝付きシリコン体の両側には、若干の溝が設けられることで、ドリンクホルダーの大きさを見て柔軟に調整することができ、使用時に、マイナスイオン放出芳香装置本体を自動車専用ホルダーと共に連結装置に嵌めて設置することができることで、車両走行時に、道路による揺れまたは急な曲がり道等の問題で、本体が倒れてしまい液体が外に漏れ、本体の作動及び運転時の安全面に影響を及ぼすことがないとともに、マイナスイオン放出芳香装置をさらにしっかりと固定することで、さらに、車両走行時に好ましいマイナスイオンフィトンチッドを放出し、運転手の疲労を減少させ車内の空気及び湿度を活性化させ、さらに、安全に運転できるようにし快適な運転環境を提供するマイナスイオン放出芳香装置の自動車専用ホルダー及びそのドリンクホルダー連結装置に関する。
【背景技術】
【０００２】
アロマセラピーは、長い間研究されており、多くのマスメディアが（例えばリーダーズダイジェスト）その沿革及び応用発展について報道しており、これらの報道において取り上げられている例において、アロマセラピーが正式な医療に取って代わることができるかどうかについてはまだ保留状態にあるが、挙げられている肯定的な評価は、積極的なものが多いだけでなく、本当に人体に普遍的な療養效果を発揮するかどうかに関わりなく、室内環境において適切なエッセンシャルオイルを選んで香りが漂うにすることで、自然と心地よい香りだけでなく人の心を落ち着かせる環境を作り出すことができ、心を安定させるだけで、不快感を和らげることができ、気を楽にして仕事をこなすことができるようにし、心の知能指数を高め感情を制御できるようにするため、利点が多いと言える。
【０００３】
しかしながら、従来においてエッセンシャルオイルを空気中に漂わせる方法は、加熱法（キャンドル／プラグ式）、イソプロピルアルコールによるアロマ、微量の酸素を含むアロマが使用されており、これらは加熱による爆発の危険が一般的に存在し、芳香剤の分子が大き過ぎるまたはオゾンを発生させ環境に不利であるといった様々な要因により、専門家は使用を勧めていない。
【０００４】
考案者は、上述の様々な要因に基づいて、近年研究を重ね、電力によって振動を発生させることで、エッセンシャルオイルを混入した混合液を素早く振動させ細分化し漂わせるマイナスイオン芳香法を開発した。この方法は、過熱による危害がなく、エッセンシャルオイルをさらに素早く細分化し漂わせる最も好ましい方法であるとともに、複数の特許を取得した。ただし、前記の製品は、今のところ残念ながら、住宅、オフィス等の環境にのみ適用されるため、上述の必要に応じて、車用に適した装置に関連した構造を開発し、本考案が生まれた。
【０００５】
参照する図１Ａ、図１Ｂは、一般的な車用芳香剤１に関連した図である。前記車用芳香剤１は、通常運転手センターコンソール１００の上方に貼り付けられるとともに固設され、前記車用芳香剤１は、キャップ１０及びボトル本体１１を備え、キャップ上方には、スルーホール１０ａが設けられるとともに、綿製吸い上げ芯１１ａが下向きに押し込まれて、化学芳香液１１ｂが浸み込むようにされることで、車内に芳香する效果が達成される。しかしながら、この種の従来の方法は、長い間批判されてきており、前記等の化学芳香液から発生する気体は、ベンゼン、フェノール、アルコールといった化学成分を含むため、体に悪く、めまい及び慢性中毒を生じさせやすいという危険があるため、避けるべきであるが、その他にも、長い時間香りをかぐことで、香りがきつくなりすぎるだけでなく、車内の香りが吐き気を催し不快になることで、運転手の感情が不安定になり、長時間走行する場合、さらに疲労しやすくなる。
【０００６】
参照する図２Ａは、従来の車用マイナスイオン放出芳香装置２の構成を示した図であり、従来の車用マイナスイオン放出芳香装置２は、パワーノズル２１と、ミスト生成部２２と、芳香装置本体２３と、回路制御装置２４と、車用プラグ２５を備えるとともに、１２Ｖ／２４Ｖの車用電圧規格を提供する。
【０００７】
上述のマイナスイオン放出芳香装置２を自動車に使用するとともに、センターコンソール１００の上方に置いた場合、図２Ｂに示す通りであり、図２Ｂは、従来の方法で車内において使用した状態を示した図である。煙が生じることで視界に影響が及ぶだけでなく、車両走行中に道路により揺れるまたは急に曲がる場合に、装置が揺れるまたは倒れてしまうことで、本体内部の液体が外に漏れ、運転に支障をきたし、ひどい場合には車の設備に液体がかかるとともに、装置の動作機能に影響を及ぼし、作動しなくなる場合もあるため、この問題は解決される必要がある。
【０００８】
さらに、参照する図２Ｃは、従来の方法で車内において使用した状態を示した図であり、上述のマイナスイオン放出芳香装置２を自動車に使用するとともに、センターアームレスト２００の上方に置いた場合にも、車両走行中に道路により揺れるまたは急に曲がる際、装置が揺れるまたは倒れてしまうことで、本体内部の液体が外に漏れ、運転に支障をきたし、ひどい場合には車の設備に液体がかかるとともに、運転時の安全面に影響が及ぶ。
【０００９】
さらに参照する図３Ａ、図３Ｂ、及び図３Ｃは、マイナスイオン放出芳香装置を、従来におけるバンドで固定する別の方法で使用した状態を示した図であり、マイナスイオン放出芳香装置２は、固定バッグ体３と、複数の引掛けベルトユニット３１と、ベルト３２を備えるとともに、巧妙に掛けて設置することで、車内の限られた空間を占領することがないとともに備え付けられた物の機能に影響を及ぼさないだけでなく、マイナスイオン放出芳香装置のノズル部を傾かないように効果的にしっかりきつく締めることができることで、本体は、座席の背側におけるセンターアームレストの上方にしっかりと固定され、車両走行時にも、本体の作動及び運転の安全面に影響を及ぼさない。ただし、この方法は巧妙で効果的ではあるが、バンドで固定するのが難しいため、消費者は煩わしく感じ不満が絶えず、残念ながら、結局効果的に普及させることができなかった。
【考案の概要】
【考案が解決しようとする課題】
【００１０】
本考案は、車両走行時に好ましいマイナスイオンフィトンチッドを放出し、運転手の疲労を減少させ車内の空気及び湿度を活性化させ、さらに、安全に運転できるようにし快適な運転環境を提供するマイナスイオン放出芳香装置の自動車専用ホルダー及びそのドリンクホルダー連結装置を提供することを目的とする。
【課題を解決するための手段】
【００１１】
本考案は、マイナスイオン放出芳香装置の自動車専用ホルダー及びそのドリンクホルダー連結装置であって、特に、マイナスイオン放出芳香装置を車内の適切な空間に引掛けて設置することができるようにする、または連結装置によりマイナスイオン放出芳香装置本体を自動車専用ホルダーと共にドリンクホルダーにスムーズに固定させるマイナスイオン放出芳香装置の自動車専用ホルダー及びそのドリンクホルダー連結装置である。そのうち、自動車専用ホルダーは、固定フレーム体と、引掛けベルトユニットと、からなるとともに、巧妙に掛けて設置することでマイナスイオン放出芳香装置の本体を、フレーム体上部及びノズル部位（つまりパワーノズル及びミスト生成部）に効果的にしっかりと固定することができ、落ちないようにしっかりと締め付けられ、使用者は、適切な位置を選んで掛けて設置且つ固定することができ、車両走行時に、道路による揺れまたは急な曲がり道等の問題で、本体が倒れてしまい液体が外に漏れ、本体の作動及び運転時の安全面に影響を及ぼすことがないとともに、マイナスイオン放出芳香装置をさらにしっかりと固定することで、さらに、車両走行時に好ましいマイナスイオンフィトンチッドを放出し、運転手の疲労を減少させ車内の空気及び湿度を活性化させ、さらに、安全に運転できるようにし快適な運転環境を提供する。
【００１２】
さらに、前記連結装置の上半部は、Ｌ型皿状台座であり、皿状面は円前部の後方であり、扇形凸ブロックは前縁に設けられ、Ｌ型皿状台座の後方における縁部の近くには、垂直且つ上向きに一対のＵ型溝が凸設され、その中央には電源コード位置決め溝が設けられるとともに、Ｌ型皿状台座の中央部には、溝付筒部が下向きに延設され、その下端の対称部には、４つの溝が上向きに穴を開けて設けられ、溝付きシリコン体を嵌め込むことができ、溝付きシリコン体の両側には、複数の溝が設けられることで、ドリンクホルダーの大きさを見て柔軟に調整することができ、使用時に、マイナスイオン放出芳香装置本体を自動車専用ホルダーと共に連結装置に嵌めて設置することができることで、異なる車種に適用できるため普及されやすく、運転手が望むマイナスイオン放出芳香装置の車内での使用効果を効果的に向上させることができる。
【図面の簡単な説明】
【００１３】
【図１Ａ】一般的な車用芳香剤を示した図である。
【図１Ｂ】一般的な車用芳香剤の構造を示した図である。
【図２Ａ】従来の車用マイナスイオン放出芳香装置の構成を示した図である。
【図２Ｂ】従来の車用マイナスイオン放出芳香装置を従来の方法で車内において使用した状態を示した図である
【図２Ｃ】従来の車用マイナスイオン放出芳香装置を従来の方法で車内において使用した状態を示した図である
【図３Ａ】従来の車用マイナスイオン放出芳香装置を、従来におけるバンドで固定する別の方法で使用した状態を示した図である。
【図３Ｂ】従来の車用マイナスイオン放出芳香装置を、従来におけるバンドで固定する別の方法で使用した状態を示した図である。
【図３Ｃ】従来の車用マイナスイオン放出芳香装置を、従来におけるバンドで固定する別の方法で使用した状態を示した図である。
【図４】本考案の外観図である。
【図５】本考案の自動車専用ホルダーの斜視分解図である。
【図６】本考案の自動車専用ホルダーの使用状態を示した図である。
【図７Ａ】本考案の自動車専用ホルダーの実施図である。
【図７Ｂ】本考案の自動車専用ホルダーの実施図である。
【図７Ｃ】本考案の自動車専用ホルダーの実施図である。
【図８】本考案の連結装置の外観図である。
【図９】本考案の連結装置の斜視分解図である。
【図１０】本考案の連結装置の側面図である。
【図１１Ａ】本考案を実施した場合の正面図である。
【図１１Ｂ】本考案を実施した場合の背面図である。
【図１２】本考案を実施した場合の別の側面図である。
【図１３Ａ】本考案の溝付きシリコン体の径方向における調整を示した図である。
【図１３Ｂ】本考案の溝付きシリコン体の径方向における調整を示した図である。
【図１３Ｃ】本考案の溝付きシリコン体の径方向における調整を示した図である。
【図１４Ａ】本考案の実施図である。
【図１４Ｂ】本考案の別の実施図である。
【図１５】本考案のさらに別の実施図である。
【考案を実施するための形態】
【００１４】
図１Ａ〜図３Ｃは、一般的な車用芳香剤及び従来の車用マイナスイオン放出芳香装置の使用上の欠点を示しており、すでに上述した通りであるため、ここで再び贅言することはしない。
【００１５】
参照する図４は、本考案の外観図であり、図５は、本考案の斜視分解図である。図から分かる通り、本考案のマイナスイオン放出芳香装置の自動車専用ホルダー及びそのドリンクホルダー連結装置は、主に、自動車専用ホルダー４と、ドリンクホルダー連結装置５と、からなり、自動車専用ホルダー４は、固定フレーム体４１及び引掛けベルトユニット４２を備えているべきである。そのうち、固定フレーム体４１は、金属線材が折り曲げられてなるとともに、一端は、２つのフック体４１１であり、２つのフック体４１１の間には、補強棒４１２が水平溶接されるとともに、フック体４１１の末端には、ゴムカバー４１１ａが覆うように設けられ、フック体４１１における２つの支持柱４１３は、下方向に底端まで延在され、支持柱４１３と垂直方向に円状台座４１３ａが水平に設けられるとともに、２つの支持柱４１３に近い上方部には、円状輪４１４が溶接されて設けられることで、引掛けることのできるフレーム体が形成される。さらに、引掛けベルトユニット４２は、腕時計型ベルト体であり、中央の時計の位置には、腕時計型スルーホール４２１が設けられ、その両側には、腕時計型ベルト体４２１ａと腕時計型ベルト体４２１ｂが延在されるとともに、ベルト体の末端には、ボタンユニット４２１ａ'とボタンユニット４２１ｂ'が設けられることで、互いにはめることができる。
【００１６】
参照する図６は、本考案の自動車専用ホルダーの使用状態を示した図であり、図から分かる通り、本考案のマイナスイオン放出芳香装置の自動車専用ホルダー及びそのドリンクホルダー連結装置を使用する場合、マイナスイオン放出芳香装置２を固定フレーム体４１に置く際、本体底部は、円状台座４１３ａによって支えられると同時に、本体は、円状輪４１４によって固定されることでしっかり保持され、上体及びノズル部位（つまりパワーノズル２１及びミスト生成部２２）には引掛けベルトユニット４２がつけられるとともに、円状輪４１４にはベルトがかけられる、つまり、前端のベルト体４２１ａが円状輪４１４にかけられ、後端のベルト体４２１ｂが補強棒４１２にかけられることにより、落ちないようにしっかりときつく締めることができる。
【００１７】
参照する図７Ａ、図７Ｂ、及び図７Ｃは、本考案の自動車専用ホルダーの実施図であり、図７Ａに示す通り、本考案の固定フレーム体４１にマイナスイオン放出芳香装置２を置いた後、補助席のドアの縁のサイドアームレストの横棒に掛けて設置することができる。図７Ｂに示す通り、本考案の固定フレーム体４１にマイナスイオン放出芳香装置２を置いた後、センターアームレストの収納ボックス側縁に掛けて設置することができる。図７Ｃに示す通り、本考案の固定フレーム体４１にマイナスイオン放出芳香装置２を置いた後、前部座席の後方の収納袋の縁に掛けて設置することができる。よって明らかな通り、使用者は、好みに合わせて車内の空間内において最も適切だと思える場所を探して掛けて設置することができる。
【００１８】
参照する図８、図９、図１０は、それぞれ本考案の連結装置の外観図、本考案の連結装置の斜視分解図、及び本考案の連結装置の側面図であり、図から分かる通り、本考案のマイナスイオン放出芳香装置の自動車専用ホルダー及びそのドリンクホルダー連結装置において、前記連結装置５の上半部は、Ｌ型皿状台座５１であり、皿状面は円前部の後方であり、扇形凸ブロック５１Ａは、前縁に設けられ、Ｌ型皿状台座５１の後方における縁部の近くには、垂直且つ上向きに一対のＵ型溝５１Ｂが凸設され、その中央には電源コード位置決め溝５１Ｃが設けられるとともに、Ｌ型皿状台座５１の中央部には、溝付筒部５２が下向きに延設され、その下端の対称部には、４つの溝５２Ａが上向きに穴を開けて設けられることで、溝付きシリコン体５３を嵌め込むことができ、溝付きシリコン体の両側には、複数の溝５３'が設けられる。
【００１９】
参照する図１１Ａ、図１１Ｂ、及び図１２は、それぞれ本考案を実施した場合の正面図、本考案を実施した場合の背面図、及び本考案を実施した場合の別の側面図であり、図から分かる通り、本考案のマイナスイオン放出芳香装置の自動車専用ホルダー及びそのドリンクホルダー連結装置を使用する場合、まずマイナスイオン放出芳香装置２を自動車専用ホルダー４の中に置き、さらにマイナスイオン放出芳香装置２を連結装置５に嵌め込むことで、自動車専用ホルダー４の後方の２つの支持柱４１３を、Ｕ型溝５１Ｂに嵌め込み且つ挟むことができ、扇形凸ブロック５１Ａは、前縁に設けられることで、マイナスイオン放出芳香装置２の本体を支えることができ、電源コード２００Ａを引き延ばして設けた後、溝付きシリコン体５３を電源コード位置決め溝５１Ｃに差し込むことで、自動車専用ホルダー４をＬ型皿状台座５１に効果的に固設することができ、Ｌ型皿状台座５１から下向きに延設された溝付筒部５２における４つの溝５２Ａには、溝付きシリコン体５３が嵌め込まれ、溝付きシリコン体の両側の複数の溝５３'は、密着して結合される。
【００２０】
参照する図１３Ａ、図１３Ｂ、図１３Ｃは、本考案の溝付きシリコン体の径方向における調整を示した図であり、図から分かる通り、図１３Ａは、小型円形ドリンクホルダー６００Ａであり、溝付きシリコン体５３を必要に応じて調整し最小の直径にすることで、小型円形ドリンクホルダー６００Ａの内径に適合され、図１３Ｂは、大型円形ドリンクホルダー６００Ｂであり、溝付きシリコン体５３を必要に応じて調整し比較的大きな直径にすることで、大型円形ドリンクホルダー６００Ｂの内径に適合され、図１３Ｃは、長方形ドリンクホルダー６００Ｃであり、溝付きシリコン体５３を必要に応じて調整し最大の直径にすることで、長方形ドリンクホルダー６００Ｃの溝の直径に適合される。
【００２１】
参照する図１４Ａ、図１４Ｂは、本考案の実施図及び本考案の別の実施図であり、図から分かる通り、考案者の巧妙な設計により、小型円形ドリンクホルダー６００Ａ、大型円形ドリンクホルダー６００Ｂは、使用者が連結装置５を適切な直径の大きさに調整することで、マイナスイオン放出芳香装置の自動車専用ホルダー４を円形ドリンクホルダー６００Ａ、円形ドリンクホルダー６００Ｂに効果的に固設することができ、さらに長方形ドリンクホルダー６００Ｃは、使用者が連結装置５を適切な直径の大きさに調整することで、マイナスイオン放出芳香装置の自動車専用ホルダー４を長方形ドリンクホルダー６００Ｃに効果的に固設することができる。
【００２２】
さらに参照する図１５は、本考案のさらに別の実施図であり、製品の完成度を高めるため、マイナスイオン放出芳香装置の自動車専用ホルダー４の後方における２つのフック体４１１（点線で図示）は、必要に応じて取り外すことができ、２つのフック体４１１の間には、横棒４１２'が２つのフック体４１１と連結されて延在されることで、さらに完成度が高められる。
【符号の説明】
【００２３】
１        車用芳香剤
１００    運転手センターコンソール
１０      キャップ
１１      ボトル本体
１０ａ    スルーホール
１１ａ    綿製吸い上げ芯
１１ｂ    化学芳香液
２        マイナスイオン放出芳香装置
２１      パワーノズル
２２      ミスト生成部
２３      芳香装置本体
２４      回路制御装置
２５      車用プラグ
２００    センターアームレスト
２００Ａ  電源コード
３        固定バッグ体
３１      引掛けベルトユニット
３２      ベルト
４        自動車専用ホルダー
４１      固定フレーム体
４２      引掛けベルトユニット
４１１    フック体
４１２    補強棒
４１２'  横棒
４１１ａ  ゴムカバー
４１３    支持柱
４１３ａ  円状台座
４１４    円状輪
４２      引掛けベルトユニット
４２１    腕時計型スルーホール
４２１ａ、４２１ｂ    腕時計型ベルト体
４２１ａ'、４２１ｂ'  ボタンユニット
５        連結装置
５１      Ｌ型皿状台座
５１Ａ    扇形凸ブロック
５１Ｂ    Ｕ型溝
５１Ｃ    電源コード位置決め溝
５２      溝付筒部
５２Ａ    溝
５３      溝付きシリコン体
５３'    溝 
６００Ａ  小型円形ドリンクホルダー
６００Ｂ  大型円形ドリンクホルダー
６００Ｃ  長方形ドリンクホルダー
【図１Ａ】
0003220068.tif 000003
【図１Ｂ】
0003220068.tif 000004
【図２Ａ】
0003220068.tif 000005
【図２Ｂ】
0003220068.tif 000006
【図２Ｃ】
0003220068.tif 000007
【図３Ａ】
0003220068.tif 000008
【図３Ｂ】
0003220068.tif 000009
【図３Ｃ】
0003220068.tif 000010
【図４】
0003220068.tif 000011
【図５】
0003220068.tif 000012
【図６】
0003220068.tif 000013
【図７Ａ】
0003220068.tif 000014
【図７Ｂ】
0003220068.tif 000015
【図７Ｃ】
0003220068.tif 000016
【図８】
0003220068.tif 000017
【図９】
0003220068.tif 000018
【図１０】
0003220068.tif 000019
【図１１Ａ】
0003220068.tif 000020
【図１１Ｂ】
0003220068.tif 000021
【図１２】
0003220068.tif 000022
【図１３Ａ】
0003220068.tif 000023
【図１３Ｂ】
0003220068.tif 000024
【図１３Ｃ】
0003220068.tif 000025
【図１４Ａ】
0003220068.tif 000026
【図１４Ｂ】
0003220068.tif 000027
【図１５】
0003220068.tif 000028
【手続補正書】
【提出日】平成30年11月27日(2018.11.27)
【手続補正１】
【補正対象書類名】実用新案登録請求の範囲
【補正対象項目名】全文
【補正方法】変更
【補正の内容】
【実用新案登録請求の範囲】
【請求項１】
自動車専用ホルダーを備えたドリンクホルダー連結装置であって、前記自動車専用ホルダーは、固定フレーム体と、引掛けベルトユニットと、からなり、そのうち、固定フレーム体は、金属線材が折り曲げられてなるとともに、一端は、２つのフック体であり、２つのフック体の間には、補強棒が水平溶接されるとともに、フック体の末端には、ゴムカバーが覆うように設けられ、フック体における２つの支持柱は、下方向に底端まで延在され、支持柱と垂直方向に円状台座が水平に設けられるとともに、２つの支持柱に近い上方部には、円状輪が溶接されて設けられることで、引掛けられるフレーム体が形成され、さらに、引掛けベルトユニットは、腕時計型ベルト体であり、中央の時計の位置には、腕時計型スルーホールが設けられ、その両側には、腕時計型ベルト体が延在されるとともに、ベルト体の末端には、ボタンユニットが設けられることで、互いにはめられ、さらに、連結装置の上半部は、Ｌ型皿状台座であり、皿状面は円前部の後方であり、扇形凸ブロックは前縁に設けられ、Ｌ型皿状台座の後方における縁部の近くには、垂直且つ上向きに一対のＵ型溝が凸設され、その中央には電源コード位置決め溝が設けられるとともに、Ｌ型皿状台座の中央部には、溝付筒部が下向きに延設され、その下端の対称部には、４つの溝が上向きに穴を開けて設けられ、４つの溝には溝付きシリコン体が嵌め込まれ、溝付きシリコン体の両側には、複数の溝が設けられ、使用する場合、まずマイナスイオン放出芳香装置を自動車専用ホルダーの中に置き、さらにマイナスイオン放出芳香装置を連結装置に入れることで、自動車専用ホルダーの後方の支持柱が、Ｕ型溝に嵌め込まれ且つ挟まれ、扇形凸ブロックは、前縁に設けられることで、マイナスイオン放出芳香装置の本体が支えられ、電源コードが引き延ばされて設けられた後、溝付きシリコン体が電源コード位置決め溝に差し込まれることで、自動車専用ホルダーがＬ型皿状台座に効果的に固設され、Ｌ型皿状台座から下方向に延設された溝付筒部における４つの溝に、溝付きシリコン体が嵌め込まれ、溝付きシリコン体の両側には、複数の溝が設けられることで、密着して結合されることを特徴とするマイナスイオン放出芳香装置のドリンクホルダー連結装置。
【請求項２】
溝付きシリコン体は、溝付筒部の４つの溝に組み合わされ、異なる内径のドリンクホルダーを置く必要に応じて径方向に調整されることを特徴とする、請求項１に記載のマイナスイオン放出芳香装置のドリンクホルダー連結装置。
【請求項３】
マイナスイオン放出芳香装置の自動車専用ホルダーの後方における支持柱の間は、横棒によって連結され、フックで取り外し可能としたことを特徴とする、請求項１に記載のマイナスイオン放出芳香装置のドリンクホルダー連結装置。
【手続補正３】
【補正対象書類名】明細書
【補正対象項目名】０００１
【補正方法】変更
【補正の内容】
【０００１】
本考案はマイナスイオン放出芳香装置の自動車専用ホルダーを備えたドリンクホルダー連結装置に関し、特に、マイナスイオン放出芳香装置を車内の適切な．空間に引掛けて設置することができるようにする、または連結装置によりマイナスイオン放出芳香装置本体を自動車専用ホルダーと共にドリンクホルダーにスムーズに固定させ、そのうち、自動車専用ホルダーは、固定フレーム体と、引掛けベルトユニットと、からなり、巧妙に掛けて設置することで、マイナスイオン放出芳香装置の本体を、フレーム体上部、及びノズル部位（つまりパワーノズル及びミスト生成部）に効果的にしっかりと固定することができ、落ちないようにしっかりと締め付け、使用者は、適切な位置を選んで掛けて設置且つ固定することができ、さらに、前記連結装置上半部は、Ｌ型皿状台座であり、皿状面は円前部の後方であり、扇形凸ブロックは前縁に設けられ、Ｌ型皿状台座の後方における縁部の近くには、垂直且つ上向きに一対のＵ型溝が凸設され、その中央には電源コード位置決め溝が設けられるとともに、Ｌ型皿状台座の中央部には、溝付筒部が下向きに延設され、その下端の対称部には、４つの溝が上向きに穴を開けて設けられ、溝付きシリコン体を嵌め込むことができ、溝付きシリコン体の両側には、若干の溝が設けられることで、ドリンクホルダーの大きさを見て柔軟に調整することができ、使用時に、マイナスイオン放出芳香装置本体を自動車専用ホルダーと共に連結装置に嵌めて設置することができることで、車両走行時に、道路による揺れまたは急な曲がり道等の問題で、本体が倒れてしまい液体が外に漏れ、本体の作動及び運転時の安全面に影響を及ぼすことがないとともに、マイナスイオン放出芳香装置をさらにしっかりと固定することで、さらに、車両走行時に好ましいマイナスイオンフィトンチッドを放出し、運転手の疲労を減少させ車内の空気及び湿度を活性化させ、さらに、安全に運転できるようにし快適な運転環境を提供するマイナスイオン放出芳香装置のドリンクホルダー連結装置に関する。
【手続補正４】
【補正対象書類名】明細書
【補正対象項目名】００１０
【補正方法】変更
【補正の内容】
【００１０】
本考案は、車両走行時に好ましいマイナスイオンフィトンチッドを放出し、運転手の疲労を減少させ車内の空気及び湿度を活性化させ、さらに、安全に運転できるようにし快適な運転環境を提供するマイナスイオン放出芳香装置のドリンクホルダー連結装置を提供することを目的とする。
【手続補正５】
【補正対象書類名】明細書
【補正対象項目名】００１１
【補正方法】変更
【補正の内容】
【００１１】
本考案は、マイナスイオン放出芳香装置の自動車専用ホルダーを備えたドリンクホルダー連結装置であって、特に、マイナスイオン放出芳香装置を車内の適切な空間に引掛けて設置することができるようにする、または連結装置によりマイナスイオン放出芳香装置本体を自動車専用ホルダーと共にドリンクホルダーにスムーズに固定させるマイナスイオン放出芳香装置のドリンクホルダー連結装置である。そのうち、自動車専用ホルダーは、固定フレーム体と、引掛けベルトユニットと、からなるとともに、巧妙に掛けて設置することでマイナスイオン放出芳香装置の本体を、フレーム体上部及びノズル部位（つまりパワーノズル及びミスト生成部）に効果的にしっかりと固定することができ、落ちないようにしっかりと締め付けられ、使用者は、適切な位置を選んで掛けて設置且つ固定することができ、車両走行時に、道路による揺れまたは急な曲がり道等の問題で、本体が倒れてしまい液体が外に漏れ、本体の作動及び運転時の安全面に影響を及ぼすことがないとともに、マイナスイオン放出芳香装置をさらにしっかりと固定することで、さらに、車両走行時に好ましいマイナスイオンフィトンチッドを放出し、運転手の疲労を減少させ車内の空気及び湿度を活性化させ、さらに、安全に運転できるようにし快適な運転環境を提供する。
【手続補正６】
【補正対象書類名】明細書
【補正対象項目名】００１６
【補正方法】変更
【補正の内容】
【００１６】
参照する図６は、本考案の自動車専用ホルダーの使用状態を示した図であり、図から分かる通り、本考案のマイナスイオン放出芳香装置のドリンクホルダー連結装置を使用する場合、マイナスイオン放出芳香装置２を固定フレーム体４１に置く際、本体底部は、円状台座４１３ａによって支えられると同時に、本体は、円状輪４１４によって固定されることでしっかり保持され、上体及びノズル部位（つまりパワーノズル２１及びミスト生成部２２）には引掛けベルトユニット４２がつけられるとともに、円状輪４１４にはベルトがかけられる、つまり、前端のベルト体４２１ａが円状輪４１４にかけられ、後端のベルト体４２１ｂが補強棒４１２にかけられることにより、落ちないようにしっかりときつく締めることができる。
【手続補正７】
【補正対象書類名】明細書
【補正対象項目名】００１８
【補正方法】変更
【補正の内容】
【００１８】
参照する図８、図９、図１０は、それぞれ本考案の連結装置の外観図、本考案の連結装置の斜視分解図、及び本考案の連結装置の側面図であり、図から分かる通り、本考案のマイナスイオン放出芳香装置の自動車専用ホルダーを備えたドリンクホルダー連結装置において、前記連結装置５の上半部は、Ｌ型皿状台座５１であり、皿状面は円前部の後方であり、扇形凸ブロック５１Ａは、前縁に設けられ、Ｌ型皿状台座５１の後方における縁部の近くには、垂直且つ上向きに一対のＵ型溝５１Ｂが凸設され、その中央には電源コード位置決め溝５１Ｃが設けられるとともに、Ｌ型皿状台座５１の中央部には、溝付筒部５２が下向きに延設され、その下端の対称部には、４つの溝５２Ａが上向きに穴を開けて設けられることで、溝付きシリコン体５３を嵌め込むことができ、溝付きシリコン体の両側には、複数の溝５３'が設けられる。
【手続補正８】
【補正対象書類名】明細書
【補正対象項目名】００１９
【補正方法】変更
【補正の内容】
【００１９】
参照する図１１Ａ、図１１Ｂ、及び図１２は、それぞれ本考案を実施した場合の正面図、本考案を実施した場合の背面図、及び本考案を実施した場合の別の側面図であり、図から分かる通り、本考案のマイナスイオン放出芳香装置のドリンクホルダー連結装置を使用する場合、まずマイナスイオン放出芳香装置２を自動車専用ホルダー４の中に置き、さらにマイナスイオン放出芳香装置２を連結装置５に嵌め込むことで、自動車専用ホルダー４の後方の２つの支持柱４１３を、Ｕ型溝５１Ｂに嵌め込み且つ挟むことができ、扇形凸ブロック５１Ａは、前縁に設けられることで、マイナスイオン放出芳香装置２の本体を支えることができ、電源コード２００Ａを引き延ばして設けた後、溝付きシリコン体５３を電源コード位置決め溝５１Ｃに差し込むことで、自動車専用ホルダー４をＬ型皿状台座５１に効果的に固設することができ、Ｌ型皿状台座５１から下向きに延設された溝付筒部５２における４つの溝５２Ａには、溝付きシリコン体５３が嵌め込まれ、溝付きシリコン体の両側の複数の溝５３'は、密着して結合される。